(57)【特許請求の範囲】
【請求項１】
注射針を保持する保持部材と、この保持部材を介して前記注射針が取り付けられる外筒と、この外筒の内側で流体の充填空間を形成しその摺動にて流体を注射針の先端から吸入または排出するプランジャとを備える注射器において、
前記注射器は、前記保持部材を前記外筒の側面に枢支軸を介して回動自在に取り付け、
前記保持部材および前記外筒それぞれに、前記注射針を使用可能な起立姿勢においてのみ連通して前記注射針を通して流体を前記充填空間に吸入または排出する通路を形成すると共に、
前記保持部材は、前記枢支軸を起点にして前記注射針を傾倒させるための把手を備え、
前記外筒は、その側面に、前記枢支軸を起点にした前記注射針の傾倒にて該注射針の少なくとも先端部分を収容する２つ隔壁からなる凹部を備えると共に当該隔壁に張り出し部を有する切り欠きを形成し、
この隔壁の上端面は、前記注射針を起立させたとき、前記把手の下端面と当接して当該把手と共に前記注射針を起立姿勢に固定する第１の固定手段を構成し、
前記隔壁に形成した切り欠きは、前記注射針を収容したとき、前記把手が前記張り出し部によって、前記切り欠き内に嵌合して前記注射針を前記凹部に収容した姿勢に固定する第２の固定手段を構成するものであることを特徴とする注射器。
【発明の詳細な説明】
【０００１】
【発明の属する技術分野】
本発明は、注射針を保持する保持部材と、この保持部材を介して前記注射針が取り付けられる外筒と、この外筒の内側で流体の充填空間を形成しその摺動にて流体を注射針の先端から吸入または排出するプランジャとを備える注射器に関するものである。
【０００２】
【従来の技術】
こうした注射器は、注射針に設けたロック用チップと、このロック用チップを介して注射針が取り付けられる外筒と、この外筒内を摺動自在なプランジャとを基本構成とし、例えば、採血や投薬などに用いられている。このため、注射器の注射針、特に使用後の注射針による事故を防ぐための技術として従来から、注射針をカバーするキャップが提案されている。
【０００３】
【発明が解決しようとする課題】
しかしながら、こうしたキャップは単に針先に被せるものであるため、キャップの取り付け作業を慎重に行わなくてならない。このため、従来技術では、注射器の廃棄が繁雑になるという不都合があった。
【０００４】
本発明は、上述した事実に鑑みてなされたものであり、注射針を安全かつ簡単に廃棄できる注射器を提供することを目的とする。
【０００５】
【課題を解決するための手段】
第１発明に係る注射器は、注射針を保持する保持部材と、この保持部材を介して注射針が取り付けられる外筒と、この外筒の内側で流体の充填空間を形成しその摺動にて流体を注射針の先端から吸入または排出するプランジャとを備える注射器において、注射器は、保持部材を外筒の側面に枢支軸を介して回動自在に取り付け、保持部材および外筒それぞれに、注射針を使用可能な起立姿勢においてのみ連通して注射針を通して流体を充填空間に吸入または排出する通路を形成すると共に、前記保持部材は、前記枢支軸を起点にして前記注射針を傾倒させるための把手を備え、外筒は、その側面に、枢支軸を起点にした注射針の傾倒にて該注射針の少なくとも先端部分を収容する２つの隔壁からなる凹部を備えると共に当該隔壁に張り出し部を有する切り欠きを形成し、この隔壁の上端面は、注射針を起立させたとき、把手の下端面と当接して当該把手と共に注射針を起立姿勢に固定する第１の固定手段を構成し、前記隔壁に形成した切り欠きは、注射針を収容したとき、把手が前記張り出し部によって、前記切り欠き内に嵌合して注射針を凹部に収容した姿勢に固定する第２の固定手段を構成するものであることを特徴とするものである。
【０００８】
【発明の実施の形態】
以下、図面を参照して、一実施形態である皮下用注射器１００を詳細に説明する。
【０００９】
図１は、皮下用注射器１００を注射針部分と外筒部分とに分解して示した斜視図であり、図２，図３はそれぞれ、注射器１００を使用前の状態で示した斜視図およびその断面図である。また図４，図５はそれぞれ、注射器１００を使用後の状態で示した斜視図およびその側面図である。
【００１０】
注射器１００は、図１に示す如く、注射針１１０を保持する保持部材１２０と、この保持部材１２０と一体に設けられた枢支軸１２１ａ，１２１ｂを介して注射針１１０が取り付けられる外筒１３０と、この外筒１３０の内側で薬液や血液などの充填空間Ｒ130を形成しその摺動にてこうした流体を注射針１１０の先端１１１から吸入または排出するプランジャ１４０とを基本構成とし、使用前の注射針１１０には既存のキャップ（図示せず）が取り付けられている。このキャップは、注射器１００の使用時に注射針１１０から取り外されるものとする。
【００１１】
外筒１３０は、その側面に、その軸線方向に延在する２つの隔壁１３１ａ，１３１ｂが一体に設けられており、これら隔壁１３１ａ，１３１ｂ間に凹部１３２を形成している。また隔壁１３１ａ，１３１ｂはそれぞれ、外筒１３０の先端付近に、保持部材１２０を取り付けるための取り付け穴１３３ａ，１３３ｂを備え、これらの取り付け穴１３３ａ，１３３ｂにて保持部材１２０の枢支軸１２１ａ，１２１ｂを回動自在に支持する。これによって、保持部材１２０は、枢支軸１２１ａ，１２１ｂを起点とした傾倒にて注射針１１０を凹部１３２内に収容することができる。
【００１２】
なお、隔壁１３１ａ，１３１ｂはそれぞれ、本実施形態の如く、外筒１３０の軸線方向に延在し保持部材１２０を枢支する部分、即ち、枢支軸１２１ａ，１２１ｂ用の取り付け穴１３３ａ，１３３ｂを一体に備えるものとすれば、凹部１３２によって注射針１１０全体を覆うことができるため、さらに高い安全性が得られる。但し、隔壁１３１ａ，１３１ｂは、本実施形態に限ることなく、取り付け穴１３３ａ，１３３ｂを備える隔壁と、注射針１１０の先端部１１１を収容する隔壁とに分割したもよい。また保持部材１２０と外筒１３０との間は、隔壁１３１ａ，１３１ｂそれぞれに枢支軸を設ける一方、これらの枢支軸を回動自在に取り付けできる支持用穴または窪み穴を保持部材１２０に設けることにより注射針１１０を傾倒させてもよい。
【００１３】
保持部材１２０は、注射針１１０を取り付ける本体部分１２０ａと、枢支軸１２１ａ，１２１ｂを備える回動部分１２０ｂとを一体成形したものである。この場合、注射器１００としての部品点数の削減に効果が得られるが、本実施形態のように注射針１１０と一体に成形することなく、本体部分１２０ａと回動部分１２０ｂとを別体にしてもよい。この場合、本体部分１２０ａには、既存のロック用チップを用いることができる。
【００１４】
また保持部材１２０は、その側面に薄板形状の把手１２２を一体に有する。この把手１２２によれば、保持部材１２０と共に注射針１１０を傾倒させることが容易になる。
【００１５】
保持部材１２０の回動部分１２０ｂは、図３に示すように、注射針１１０を使用可能な起立姿勢で、外筒１３０に形成した回動部分１２０ｂの外形形状と一致する半球面状の溝１３０ｃに取り付けられている。また保持部材１２０および外筒１３０それぞれには、図３に示す如く、上記起立姿勢においてのみ連通して注射針１１０を通して流体を外筒１３０内に吸入または排出する通路ｒ120，ｒ130が形成されている。
【００１６】
本実施形態では、把手１２２の下端面と隔壁１３１ａの上端面との当接を第１の固定手段１５０として用い、注射針１１０を起立姿勢に固定している。また、隔壁１３１ａの取り付け穴１３３ａ周囲の形状がほぼ四角形状となっていることにより、保持部材１２０は安易に傾倒することなく、起立姿勢が安定的に保持される。なお、第１の固定手段１５０としては、上記以外に、図示はしないが、隔壁１３１ａの上端面に把手１２２の下端が起立姿勢で嵌り込む凹部を設ける等の手段も選択可能である。
【００１７】
本実施形態の注射器１００は、第２の固定手段１６０として保持部材１２０の把手１２２と、外筒１３０の隔壁１３１ａに形成した切り欠き１３４とを用いている。この切り欠き１３４は、その開口側に張り出し部１３４ｐを有する形状であって、この張り出し部１３４ｐによって把手１２２が切り欠き１３４内にアンダカット嵌合され、注射針１１０を凹部１３２に収容した姿勢に固定する。
【００１８】
プランジャ１４０は、図３に示す如く、その先端に密閉用ゴム１４１を有し、この密閉用ゴム１４１によって外筒１３０の充填空間Ｒ130の気密性を保持したまま摺動することができる。
【００１９】
ここで、本実施形態の作用を説明する。
使用前の注射器１００は、図２および図３に示す如く、注射針１１０が起立姿勢にあるため、図３に示す如く、保持部材１２０の通路ｒ120と外筒１３０の通路ｒ130とが一致して注射針１１０を通して流体を外筒１３０内の充填空間Ｒ130に吸入または排出することができる。これにより、採血や投薬が可能となる。このとき、保持部材１２０および外筒１３０は、第１の固定手段１５０によって注射針１１０が使用可能な起立姿勢に固定されるため、注射器１００の使用中または注射針１１０からキャップを取り外すときにおいて、注射針１１０が誤って回動してしまうことがない。
【００２０】
注射器１００を使用した後は、図４および図５の破線に示す如く、把手１２２を指に引っ掛けるなどして保持部材１２０を引き倒して隔壁１３１ａの角部を強制的に乗り越えさせることにより、第１の固定手段１５０を解除すると共に凹部１３２内に注射針１１０を収納する。このとき、保持部材１２０および外筒１３０は、第２の固定手段１６０によって注射針１１０が凹部１３２に収容された姿勢に固定されるため、注射針１１０を凹部１３２内に収納した後も、誤って注射針１１０を再び回動させて注射針１１０を露出させてしまうことがない。
【００２１】
従って本実施形態によれば、注射針１１０を保持する保持部材１２０が外筒１３０の側面で回動して注射針１１０を凹部１３２に収容することにより、人が使用後の注射針１１０に直接接触することなく、この注射針１１０を安全かつ簡単にカバーすることができるため、使用済みの注射器１００の廃棄も安全かつ簡単にできる。
【００２２】
【発明の効果】
本発明に係る注射器によれば、使用前の注射器は、注射針が起立姿勢にあるため、保持部材および外筒の通路とが一致して注射針を通して流体を外筒内の充填空間に吸入または排出することができる。これにより、採血や投薬などが可能となる。このとき、保持部材および外筒は、第１の固定手段によって注射針が使用可能な起立姿勢に固定されるため、注射針が誤って回動してしまうことがない。
【００２３】
また注射器を使用した後は、保持部材を引き倒して隔壁の角部を強制的に乗り越えさせることにより、第１の固定手段を解除すると共に凹部内に注射針を収納する。このとき、保持部材および外筒は、第２の固定手段によって注射針が２つの隔壁からなる凹部に収容された姿勢に固定されるため、注射針を凹部内に収納した後も、誤って注射針を再び回動させて注射針を露出させてしまうことがない。
【００２４】
従って本発明によれば、注射針を保持する保持部材が外筒の側面で回動して注射針の先端部を凹部に収容することにより、人が使用後の注射針に直接接触することなく、この注射針を安全かつ簡単にカバーすることができるため、使用済みの注射器の廃棄も安全かつ簡単にできる。
【図面の簡単な説明】
【図１】  本発明の一実施形態である皮下用注射器を注射針部分と外筒部分とに分解して示した斜視図である。
【図２】  同実施形態において、皮下用注射器を使用前の状態で示した斜視図である。
【図３】  同実施形態において、皮下用注射器を使用前の状態で示した断面図である。
【図４】  同実施形態において、皮下用注射器を使用後の状態で示した斜視図である。
【図５】  同実施形態において、皮下用注射器を使用後の状態で示した側面図である。
【符号の説明】
１００  注射器
１１０  注射針
１１１  針先端部
１２０  保持部材
１２０ａ  本体部分
１２０ｂ  回動部分
１２１ａ，１２１ｂ  枢支軸
１２２  把手
１３０  外筒
１３０ｃ  半球面状溝
１３１ａ，１３１ｂ  隔壁
１３２  凹部
１３３ａ，１３３ｂ  取り付け穴
１３４  切り欠き
１３４ｐ  張り出し部
１４０  プランジャ
１４１  密閉用ゴム
１５０  第１の固定手段
１６０  第２の固定手段
Ｒ130  充填空間
ｒ120  通路
ｒ130  通路
【図１】
0004057312.tif 000002
【図２】
0004057312.tif 000003
【図３】
0004057312.tif 000004
【図４】
0004057312.tif 000005
【図５】
0004057312.tif 000006